(57)【要約】      （修正有）【課題】グリップ力の向上に寄与し得る野球靴を提供する。【解決手段】前足スパイク１のうちの外側Ｌの最後端に配置された第１スパイク１１と、後足スパイク２のうちの外側Ｌの最前端に配置された第２スパイク２１との間に、前足および後足スパイク１，２とは別の金属製の板状の第３スパイク３１、あるいは、樹脂製のスタッドＳのうちの少なくとも一方がアウトソール４の外側Ｌに設けられ、第１スパイク１１はアウトソール４の外側縁に沿って延びている第１係合面を有し、第２スパイク２１は第２係合面を有し、第３スパイク３１又は前記スタッドＳは、アウトソール４の外側縁に沿って延びている第３係合面を有する。【選択図】図１
2017029567.tif 000002
【特許請求の範囲】
【請求項１】
樹脂製のアウトソール４と、
前記アウトソール４の前足部４ｆに配置された金属製の複数の板状の前足スパイク１と、
前記アウトソール４の後足部４ｂに配置された金属製の複数の板状の後足スパイク２と、を備えた野球靴であって、
前記前足スパイク１のうちの外側Ｌの最後端に配置された第１スパイク１１と、前記後足スパイク２のうちの外側Ｌの最前端に配置された第２スパイク２１との間に、前記前足および後足スパイク１，２とは別の金属製の板状の第３スパイク３１、あるいは、樹脂製のスタッドＳのうちの少なくとも一方が前記アウトソール４の外側Ｌに設けられ、
前記第１スパイク１１は前記アウトソール４の外側縁４Ｅに沿って延びている第１係合面１Ｆを有し、
前記第２スパイク２１は第２係合面２Ｆを有し、
前記第３スパイク３１又は前記スタッドＳは、前記アウトソール４の前記外側縁４Ｅに沿って延びている第３係合面３Ｆを有する、野球靴。
【請求項２】
請求項１において、
前記第３係合面３Ｆが複数設けられ、前記複数の第３係合面３Ｆのうちの少なくとも２つの第３係合面３Ｆは前記外側縁４Ｅの括れた形状に沿うように互いに異なる方向に延びている、野球靴。
【請求項３】
請求項１もしくは２において、前記第３係合面３Ｆが２つ以上設けられ、
前記２つの第３係合面３Ｆのうち前方に配置された第３係合面３Ｆは斜め前方ＤＦの外側Ｌに向かって延びており、
前記２つの第３係合面３Ｆのうち後方ＤＢに配置された第３係合面３Ｆは前後方向ＦＢ又は斜め後方ＤＢの外側Ｌに向かって延びている、野球靴。
【請求項４】
請求項１、２もしくは３において、
前記第２係合面２Ｆは斜め後方ＤＢの外側Ｌに向かって延びている、野球靴。
【請求項５】
請求項１〜４のいずれか１項において、
前記第３スパイク３１が１枚または複数枚設けられている、野球靴。
【請求項６】
請求項５において、
前記第３スパイク３１が少なくとも２つ設けられ、
前記２つの第３スパイク３１の第３係合面３Ｆのうち前方ＤＦに配置された第３スパイク３１の第３係合面３Ｆは斜め前方ＤＦの外側Ｌに向かって延びており、
前記２つの第３スパイク３１の第３係合面３Ｆのうち後方ＤＢに配置された第３スパイク３１の第３係合面３Ｆは前後方向ＦＢ又は斜め後方ＤＢの外側Ｌに向かって延びている、野球靴。
【請求項７】
請求項５もしくは６において、
前記第３スパイク３１の突出高さは前記第１スパイク１１の突出高さよりも小さいか、あるいは同等である、野球靴。
【請求項８】
請求項１〜４のいずれか１項において、
前記スタッドＳが１つ又は複数設けられている、野球靴。
【請求項９】
請求項８において、
前記スタッドＳが少なくとも２つ設けられ、
前記２つの前記スタッドＳの第３係合面３Ｆのうち前方ＤＦに配置されたスタッドＳの第３係合面３Ｆは斜め前方ＤＦの外側Ｌに向かって延びており、
前記２つの前記スタッドＳの第３係合面３Ｆのうち後方ＤＢに配置されたスタッドＳの第３係合面３Ｆは前後方向ＦＢ又は斜め後方ＤＢの外側Ｌに向かって延びている、野球靴。
【請求項１０】
請求項８もしくは９において、
前記スタッドＳの下端ＳＥは第１スパイク１１の下端１１Ｅよりも上方に配置されている、野球靴。
【請求項１１】
請求項１〜１０のいずれか１項において、
前記第３スパイク３１および前記スタッドＳの双方が設けられている、野球靴。
【請求項１２】
請求項１〜１１のいずれか１項において、
前記アウトソール４には前記外側縁４Ｅの前記第１スパイク１１が配置された部位においてアッパー５の外側面の一部を覆うように上方に巻き上がる巻上部４０が設けられている、野球靴。
【請求項１３】
請求項１２において、
前記巻上部４０は前記第３スパイク３１又は前記スタッドＳのうちの少なくとも１つの前端よりも後方ＤＢに延び、前記前端よりも後方ＤＢにおいて前記アッパー５の前記外側面の一部を覆っている、野球靴。
【請求項１４】
請求項１２において、
前記巻上部４０は前記第３スパイク３１又は前記スタッドＳのうちの少なくとも１つの後端よりも後方ＤＢに延び、前記後端よりも後方ＤＢにおいて前記アッパー５の前記外側面の一部を覆っている、野球靴。
【請求項１５】
請求項１２において、
前記巻上部４０の前記アウトソール４からの最大突出量４Ｈは前記第１スパイク１１の前記アウトソール４からの突出高さＨ１と同程度か又は前記突出高さＨ１よりも大きい、野球靴。
【請求項１６】
請求項１５において、
前記巻上部４０は前記第３スパイク３１又は前記スタッドＳのうちの少なくとも１つの前端よりも後方ＤＢに延び、前記前端よりも後方ＤＢにおいて前記アッパー５の前記外側面の一部を覆っている、野球靴。
【請求項１７】
請求項１５において、
前記巻上部４０は前記第３スパイク３１又は前記スタッドＳのうちの少なくとも１つの後端よりも後方に延び、前記後端よりも後方において前記アッパー５の前記外側面の一部を覆っている、野球靴。
【発明の詳細な説明】
【技術分野】
【０００１】
本発明は硬式野球、軟式野球、ソフトボールなどの野球靴の特にスパイクおよびスタッドに関する。
【背景技術】
【０００２】
これらの野球靴のスパイクは、アウトソールの下面から突出する板状の歯を持つ。スパイクは、一般に、アウトソールの前足部および後足部の双方に配置されている。
【先行技術文献】
【特許文献】
【０００３】
【特許文献１】ＪＰ０９−１７３１０４Ａ１（図２，００２２）
【０００４】
この先行技術にはアウトソールの表面に補助突片を設け、これらがグリップ力の向上に寄与することが開示されている。
【発明の概要】
【０００５】
しかし、前記先行技術には、本来のスパイク金具と前記補助突片をどのように配置するべきかについては何ら開示されていない。
【０００６】
本発明の目的は、グリップ力の向上に寄与し得る野球靴を提供することである。
【０００７】
本発明の野球靴は、樹脂製のアウトソール４と、
前記アウトソール４の前足部４ｆに配置された金属製の複数の板状の前足スパイク１と、
前記アウトソール４の後足部４ｂに配置された金属製の複数の板状の後足スパイク２と、を備えた野球靴であって、
前記前足スパイク１のうちの外側Ｌの最後端に配置された第１スパイク１１と、前記後足スパイク２のうちの外側Ｌの最前端に配置された第２スパイク２１との間に、前記前足および後足スパイク１，２とは別の金属製の板状の第３スパイク３１、あるいは、樹脂製のスタッドＳのうちの少なくとも一方が前記アウトソール４の外側Ｌに設けられ、
前記第１スパイク１１は前記アウトソール４の外側縁４Ｅに沿って延びている第１係合面１Ｆを有し、
前記第２スパイク２１は第２係合面２Ｆを有し、
前記第３スパイク３１又は前記スタッドＳは、前記アウトソール４の前記外側縁４Ｅに沿って延びている第３係合面３Ｆを有する。
【０００８】
打撃時のインパクトの前後において、軸足では踏付部から爪先部にかけてソールに負荷が働く。一方、踏み込み足はインパクトの瞬間に体重が爪先部から踵の外側に一気に移動する。前足スパイク１と後足スパイク２との間に設けた第３スパイク３１又はスタッドＳの第３係合面３Ｆは、アウトソール４の外側縁４Ｅに沿って延びており、そのため、前記インパクトの瞬間に踏み込み足の第３係合面３Ｆが地中に貫入する。これにより、打撃時の踏み込み足のグリップ力が向上する。
【０００９】
また、インパクトの直後に踏み込み足は踵を中心に外側に回転する。そのため、前足スパイク１の外側の後端の第１スパイク１１は、モーメントアームが大きく、アウトソールの外側縁に沿って延びていることで前記グリップ力の更なる向上に役立つ。
【００１０】
こうしたグリップ力の増大は横方向の係合力の増大となり、走者は帰塁する際に帰塁し易くなるだろう。
【００１１】
本発明において、「アウトソール４の外側縁４Ｅに沿って延びている」とは、アウトソール４の外側縁４Ｅ又はその近傍において当該外側縁４Ｅに対し第３係合面３Ｆが平行的に配置されていることを意味する。
【図面の簡単な説明】
【００１２】
【図１】本発明の実施例１を示す野球靴の斜視図である。
【図２】同概略底面図である。
【図３】足の骨格と共に示す同概略底面図である。なお、図２および図３において、スタッドの底面にはドット模様を付している。
【図４】靴底の内側面図および外側面図である。
【図５】実施例１〜６の靴底の要部を示す外側面図である。
【図６】同実施例および比較例についてバットスイングの速度を測定した結果を示すグラフである。
【図７】同じくグリップ力を測定した結果を示すグラフである。
【図８】金具の高さとグリップ力との関係を示すグラフである。
【図９】比較例を示す底面図である。
【図１０】試験例Ａ〜Ｄについてグリップ力を測定した結果を示すグラフである。
【発明を実施するための形態】
【００１３】
好ましくは、前記第３係合面３Ｆが複数設けられ、前記複数の第３係合面３Ｆのうちの少なくとも２つの第３係合面３Ｆは外側縁４Ｅの括れた形状に沿うように互いに異なる方向に延びている。
【００１４】
例えば、前記第３係合面３Ｆが２以上設けられ、前記２つの第３係合面３Ｆのうち前方に配置された第３係合面３Ｆは斜め前方ＤＦの外側Ｌに向かって延びており、
前記２つの第３係合面３Ｆのうち後方ＤＢに配置された第３係合面３Ｆは前後方向ＦＢ又は斜め後方ＤＢの外側Ｌに向かって延びている。
【００１５】
これらの場合、前方に配置された第３係合面３Ｆと、後方に配置された第３係合面３Ｆとは、中足部の外側縁の括れた形状に沿うように、互いに異なる方向に延びていることで、互いに協働して足の外側へのブレを抑制するだろう。
【００１６】
好ましくは、前記第２係合面２Ｆは斜め後方ＤＢの外側Ｌに向かって延びている。
【００１７】
前記踏み込み足が踵を中心に外側に回転する際に、踵部は回転中心としてブレ難い構造が望ましい。ここで、斜め後方の外側に向かって延びている第２係合面２Ｆは他の後足スパイクと共に踵部の中央が回転中心となって回転するのに役立つ。また、斜め後方ＤＢの外側に向かって延びている第２係合面は足の外側方向に対し係合力を発揮するだろう。
【００１８】
好ましくは、前記第３スパイク３１が１枚または複数枚設けられている。
【００１９】
金属スパイクはスタッドに比べ地中に貫入し易い。したがって、著名な野球場に比べ硬い土質のグランドにおいても地中に貫入し、係合作用を発揮できる。
【００２０】
更に好ましくは、前記第３スパイク３１が少なくとも２つ設けられ、
前記２つの第３スパイク３１の第３係合面３Ｆのうち前方ＤＦに配置された第３スパイク３１の第３係合面３Ｆは斜め前方ＤＦの外側Ｌに向かって延びており、
前記２つの第３スパイク３１の第３係合面３Ｆのうち後方ＤＢに配置された第３スパイク３１の第３係合面３Ｆは前後方向ＦＢ又は斜め後方ＤＢの外側Ｌに向かって延びている。
【００２１】
この場合、前述のように、足の外側へのブレを抑制し易い。
【００２２】
好ましくは、前記第３スパイク３１の突出高さは前記第１スパイク１１の突出高さよりも小さいか、あるいは同等である。
【００２３】
このように、第３スパイク３１が第１スパイク１１よりも大きく突出していない場合、第３スパイク３１の存在による違和感や弊害が生じにくいだろう。
【００２４】
好ましくは、前記スタッドＳが１つ又は複数設けられている。
【００２５】
スタッドは金属スパイクに比べ地中に貫入し難い。したがって、柔らかい土質のグランドにおいて地中に貫入し、係合作用を発揮できる。また、スタッドは金属スパイクに比べ軽く、コストも安価である。
【００２６】
更に好ましくは、前記スタッドＳが少なくとも２つ設けられ、
前記２つの前記スタッドＳの第３係合面３Ｆのうち前方ＤＦに配置されたスタッドＳの第３係合面３Ｆは斜め前方ＤＦの外側Ｌに向かって延びており、
前記２つの前記スタッドＳの第３係合面３Ｆのうち後方ＤＢに配置されたスタッドＳの第３係合面３Ｆは前後方向ＦＢ又は斜め後方ＤＢの外側Ｌに向かって延びている。
【００２７】
この場合、前述のように、足の外側へのブレを抑制し易い。
【００２８】
好ましくは、前記スタッドＳの下端ＳＥは第１スパイク１１の下端１１Ｅよりも上方に配置されている。
【００２９】
このように、スタッドＳが第１スパイク１１よりも大きく突出していない場合、スタッドＳの存在による違和感や弊害が生じにくいだろう。
【００３０】
好ましくは、前記第３スパイク３１および前記スタッドＳの双方が設けられている。
【００３１】
この場合、金属スパイクおよび樹脂スタッドの双方の利点を発揮し得る。
【００３２】
好ましくは、前記アウトソール４には前記外側縁４Ｅの前記第１スパイク１１が配置された部位においてアッパー５の外側面の一部を覆うように上方に巻き上がる巻上部４０が設けられている。
【００３３】
本発明者は打撃時において踏み込み足には小趾球を中心に足がアッパー５内で外側に移動する棚落ちが発生し易いことを発見した。第３スパイクやスタッドで係合力を高めると、アウトソールが地面に対しズレにくい分、棚落ちが生じ易く、打者の踏み込み足が不安定となり、バットスイングの速度や正確さが低下するかもしれない。
【００３４】
これに対し、第１スパイク１１が配置された前後方向の位置に巻上部４０を設けることで、前記小趾球Ｏ５を中心とする棚落ちを抑制し得る。
【００３５】
好ましくは、前記巻上部４０は前記第３スパイク３１又は前記スタッドＳのうちの少なくとも１つの前端よりも後方ＤＢに延び、前記前端よりも後方ＤＢにおいて前記アッパー５の前記外側面の一部を覆っている。
【００３６】
巻上部４０が第３スパイク３１又はスタッドＳの前端よりも後方に延びている場合、前記棚落ち抑制の作用が更に向上する。
【００３７】
更に好ましくは、前記巻上部４０は前記第３スパイク３１又は前記スタッドＳのうちの少なくとも１つの後端よりも後方ＤＢに延び、前記後端よりも後方ＤＢにおいて前記アッパー５の前記外側面の一部を覆っている。
【００３８】
巻上部４０が第３スパイク３１又はスタッドＳの後端よりも後方に延びている場合、前記棚落ち抑制の作用が更に向上する。
【００３９】
好ましくは、前記巻上部４０の前記アウトソール４からの最大突出量４Ｈは前記第１スパイク１１の前記アウトソール４からの突出高さＨ１と同程度か又は前記突出高さＨ１よりも大きい。
【００４０】
この場合、第１スパイク１１の突出高さに見合った巻上部４０の最大突出量４Ｈが得られ、前記棚落ち抑制の作用が発揮され易い。
【００４１】
更に好ましくは、前記巻上部４０は前記第３スパイク３１又は前記スタッドＳのうちの少なくとも１つの前端よりも後方ＤＢに延び、前記前端よりも後方ＤＢにおいて前記アッパー５の前記外側面の一部を覆っている。
【００４２】
突出量の大きい巻上部４０が第３スパイク３１又はスタッドＳの前端よりも後方に延びている場合、前記棚落ち抑制の作用が更に向上する。
【００４３】
更に好ましくは、前記巻上部４０は前記第３スパイク３１又は前記スタッドＳのうちの少なくとも１つの後端よりも後方に延び、前記後端よりも後方において前記アッパー５の前記外側面の一部を覆っている。
【００４４】
突出量の大きい巻上部４０が第３スパイク３１又はスタッドＳの後端よりも後方に延びている場合、前記棚落ち抑制の作用が著しく向上する。
【００４５】
１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００４６】
本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【００４７】
以下、本発明の実施例を図面にしたがって説明する。
図１〜図４は実施例１を示す。
【００４８】
図１においてアウトソール４は熱可塑性の樹脂製で、前足部４ｆおよび後足部４ｂに多数の小さな凹凸を有する。「樹脂製」とは、熱可塑性等の樹脂成分を有するという意味で、任意の適宜の他の成分を含む。アウトソール４の上方（図面では下方）には足の甲を包むアッパー５が固着されている。後足部４ｂにおいてアッパー５とアウトソール４との間にはミッドソール７が設けられていてもよい。
【００４９】
前記アウトソール４の底面４１には、金属製の板状の前足スパイク１、後足スパイク２の第１、第２スパイク１１，２１および第３スパイク３１が取り付けられている。これらのスパイクはスパイク金具とも呼ばれ、アウトソール４の底面４１に沿って前記アウトソール４に埋設された埋設部と、前記埋設部から地面に向かって突出し地面に係合する板状の歯とが一体に連なって形成されている。
【００５０】
なお、各スパイクは一般に打ち抜き加工と曲げ加工で形成されるが、金型などで成形されたものであってもよい。
【００５１】
前記前足部４ｆおよび後足部４ｂとは、それぞれ、図３の足の前足６Ｆおよび後足６Ｒを覆う部位を意味する。前記前足６Ｆは５本の中足骨と１４個の趾骨からなり、舟状骨、立方骨および楔状骨の部位を含まない。前記後足６Ｒは距骨および踵骨からなる。
【００５２】
第１スパイク１１は前足スパイク１のうち外側Ｌの最後端に配置されている。例えば前記第１スパイク１１は小趾球Ｏ５または第５中足骨の骨体に対応する前後方向の位置に配置されている。なお、骨体とは前記骨底と骨頭との間の部位をいい、一般に滑らかに太さが変化している。
【００５３】
図１の第１スパイク１１の歯は平板状で、図２の第１係合面１Ｆはアウトソール４の外側縁４Ｅに沿って延びている。すなわち、第１係合面１Ｆは足の外側方向に対し大きな係合力を発揮する。なお、第１スパイク１１を除く前足スパイク１の歯は例えば「く」の字状に屈曲している。
【００５４】
図２の第２スパイク２１は後足スパイク２のうち外側Ｌの最前端に配置されている。第２スパイク２１を含む後足スパイク２の歯は平板状で、第２スパイク２１の第２係合面２Ｆは斜め後方ＤＢの外側に向かって延びている。すなわち、本実施例の場合、第２係合面２Ｆは足の外側方向に対し係合力を発揮する。
【００５５】
第１スパイク１１と第２スパイク２１との間には、前記前足および後足スパイク１，２とは別の金属製の板状の第３スパイク３１、並びに、樹脂製のスタッドＳの双方が前記アウトソール４の外側Ｌに設けられている。前記スタッドＳはアウトソール４と同種又は同一の樹脂で、アウトソール４に一体に形成されている。
【００５６】
本実施例の場合、第３スパイク３１およびスタッドＳは、それぞれ、前後に離れて一対設けられている。なお、本実施例の場合、一対のスタッドＳの間に一対の第３スパイク３１が配置されている。
【００５７】
前記第３スパイク３１及び前記スタッドＳの第３係合面３Ｆは、前記アウトソール４の前記外側縁４Ｅに沿って延びている。前記アウトソール４の外側縁４Ｅは内側に向かって括れている。
【００５８】
したがって、前記外側縁４Ｅに沿って延びている前記２つの第３スパイク３１の第３係合面３Ｆのうち前方ＤＦに配置された第３スパイク３１の第３係合面３Ｆは斜め前方ＤＦの外側Ｌに向かって延びている。一方、前記２つの第３スパイク３１の第３係合面３Ｆのうち後方ＤＢに配置された第３スパイク３１の第３係合面３Ｆは前後方向ＦＢ又は後方ＤＢの外側Ｌに向かって延びている。
【００５９】
また、前記外側縁４Ｅに沿って延びている前記２つの前記スタッドＳの第３係合面３Ｆのうち前方ＤＦに配置されたスタッドＳの第３係合面３Ｆは斜め前方ＤＦの外側Ｌに向かって延びている。一方、前記２つの前記スタッドＳの第３係合面３Ｆのうち後方ＤＢに配置されたスタッドＳの第３係合面３Ｆは前後方向ＦＢ又は斜め後方ＤＢの外側Ｌに向かって延びている。
【００６０】
図４Ａおよび図４Ｂにおいて、スタッドＳの下端ＳＥは第１スパイク１１の下端１１Ｅよりも上方に配置されている。すなわち、第１スパイク１１の下端１１ＥはスタッドＳの下端ＳＥよりも下方に突出している。一方、前記スタッドＳの下端ＳＥは各スパイクの埋設部が埋設されたベース４２の底面４１よりも下方の地面に向かって突出している。
【００６１】
本実施例の場合、前記第３スパイク３１の突出高さＨ３は前記第１スパイク１１の突出高さＨ１と同等である。
【００６２】
前記アウトソール４の外側縁４Ｅ（図２）には巻上部４０が一体に形成されている。巻上部４０は前記第１スパイク１１、前方のスタッドＳおよび前方の第３スパイク３１が配置された前後方向ＦＢの部位において図１のアッパー５の外側面の一部を覆うように上方に巻き上がっている。
【００６３】
図１の前記巻上部４０は前方の前記スタッドＳの後端よりも後方ＤＢに延び、更に、前方の第３スパイク３１の前端よりも後方ＤＢに延び、前記前端よりも後方ＤＢにおいて前記アッパー５の前記外側面の一部を覆っている。なお、前記巻上部４０は前記第１スパイク１１の前方に配置された前足スパイク１の後端までは延びていない。
【００６４】
図４Ｂの前記巻上部４０の前記アウトソール４からの最大突出量４Ｈは、前記第１スパイク１１の前記アウトソール４からの突出高さＨ１と同程度か又は前記突出高さＨ１よりも大きいのが好ましい。前記巻上部４０が最も大きく突出する部位は、第１スパイク１１の前端から最も前方の第３係合面の後端までの間に配置されてもよい。
【００６５】
つぎに、試験例（ａ）〜（ｆ）および比較例（ｇ）について説明する。
図５（ａ）〜（ｆ）は試験例（ａ）〜（ｆ）の要部を示す。図９は比較例（ｇ）（市販品）を示す。
【００６６】
図５（ａ）の試験例（ａ）は、図１〜図４の前記実施例１の構造と同一の構造である。図５（ｂ）〜（ｆ）の各試験例は、各々、前記試験例（ａ）に改造を加えて制作したものである。
【００６７】
図５（ｂ）、（ｅ）の試験例（ｂ）、（ｅ）は図５（ａ）の試験例（ａ）の２つの第３スパイク３１の先端を約３ｍｍないし５ｍｍ削って作成したものである。
【００６８】
図５（ｃ）の試験例（ｃ）は図５（ａ）の試験例（ａ）の２つのスタッドＳを削り取って作成したものである。
図５（ｄ）の試験例（ｄ）は図５（ａ）の試験例（ａ）の前方の第３スパイク３１を削り取って作成したものである。
図５（ｆ）の試験例（ｆ）は図５（ａ）の試験例（ａ）の２つの第３スパイク３１を削り取って作成したものである。
【００６９】
つぎに、前記試験例（ａ）〜（ｆ）および比較例（ｇ）を用いて行った試験について説明する。
まず、バッターボックスとして、軸足に深い人工芝とその下にフォースプレートを用意し、一方、踏み込み足に甲子園球場で使用される柔らかい黒土とその下にフォースプレートを用意した。
【００７０】
野球経験者５名が前記各例の野球靴を着用し全力のティー打撃を行い、その際に、バットのスイング速度の最大値と床からの水平反力の最大値を計測した。その結果を、図６および図７に示す。
なお、図６および図７の横軸の（ａ）〜（ｇ）はテストサンプルの種別を示す。
【００７１】
図６において、試験例（ｂ），（ｄ）は、試験例（ａ）に比べ、バットスイング速度の最大値が若干増大していることが分かる。試験例（ｂ），（ｄ）は、第３スパイク３１を一部ないし完全に削り取ったサンプルである。この結果から、図５の第３スパイク３１の突出高さＨ３が第１スパイク１１の突出高さＨ１よりも小さいとスイング速度が増大することが分かる。一方、第３スパイク３１の突出高さＨ３が５ｍｍである試験例（ｅ）の場合、スイング速度が低下していることから、第３スパイク３１の突出高さＨ３は６ｍｍ以上であるのが好ましいことが分かる。
【００７２】
一方、図５（ｃ）のスタッドを削り取った試験例（ｃ）はスイング速度の最大値が低下している。この結果から、バッターボックスが柔らかい地面である場合、スパイクよりも地面に貫入し難いスタッドがスイング速度の増大に有用であることが分かる。
【００７３】
なお、バッターボックスが硬い地面である場合、地面に貫入し易いスパイクがスイング速度の増大に有用となることが予測される。
【００７４】
図７において、試験例（ａ），（ｆ）は比較例（ｇ）に比べ、踏み込み足のグリップ力が著しく増大していることが分かる。これに対し、スタッドを削り取った試験例（ｃ）は比較例（ｇ）に比べグリップ力が殆ど増大していないことが分かる。
【００７５】
これらの結果から、バッターボックスが柔らかい地面である場合、スパイクよりも地面に貫入し難いスタッドがグリップ力の増大に有用であることが分かる。
【００７６】
なお、バッターボックスが硬い地面である場合、地面に貫入し易いスパイクがグリップ力の増大に有用となることが予測される。
【００７７】
図５の第３スパイク３１の突出高さＨ３（図５（ｂ）参照）と前記グリップ力の最大値との関係を図８に示す。この図から分かるように、第３スパイクの突出高さが６ｍｍ以上であれば、柔らかい地面であってもグリップ力の増大することが分かる。
【００７８】
つぎに、図１０の試験例Ａ〜Ｄを用いて行った試験について説明する。これらの試験例Ａ〜Ｄの第３スパイクおよびスタッドについては図１〜図４に示した実施例１を採用した。
【００７９】
図１０において、試験例Ａ〜Ｃは試験例Ｄのアッパーの外側面に補強材５０〜５２を固着して作成したものである。図１０の試験例ＡおよびＣのように、アッパーの外側面の前足部に補強材５０、５２を有する場合、補強材を設けていない試験例Ｄに比べ、グリップ力が向上していることが分かる。したがって、アッパーの外側面の少なくとも前足部の剛性を内側面のそれに比べ大きくすることは前記グリップ力を増大させることが分かる。
【００８０】
この試験結果は、補強されたアッパーの前足部が棚落ちを抑制するためであろうと推測される。かかる観点から、図３の小趾球Ｏ５の近傍の第１スパイク３１およびスタッドＳの上方のアッパー外側面を図４の巻上部４０で覆うことにより、棚落ちを抑制できグリップ力が向上するであろうことが分かる。
【００８１】
以上のとおり、図面を参照しながら好適な実施例を説明したが、当業者であれば、本明細書を見て、自明な範囲内で種々の変更および修正を容易に想定するであろう。
たとえば、第３スパイクおよびスタッドは一方のみを設けてもよく、また、その数は１個又は３個以上であってもよい。
また、第１〜第３スパイクやスタッドの係合面はフラットである必要はなく、例えば、「く」の字状や「へ」の字状であってもよい。
また、野球靴は踏み込み足のみに本構造を採用してもよいし、両足に本構造を採用してもよい。
また、後足部の後足スパイクは内側および外側に１枚ずつ設けられていてもよい。
したがって、そのような変更および修正は、本発明の範囲内のものと解釈される。
【産業上の利用可能性】
【００８２】
本発明は冒頭に述べた種々の野球靴に利用できる。
【符号の説明】
【００８３】
１：前足スパイク  １Ｆ：第１係合面  １１：第１スパイク  １１Ｅ：下端
２：後足スパイク  ２Ｆ：第２係合面  ２１：第２スパイク
３Ｆ：第３係合面  ３１：第３スパイク
４：アウトソール  ４ｆ：前足部  ４ｂ：後足部  ４Ｅ：外側縁  ４Ｈ：最大突出量
４０：巻上部  ４１：底面  ４２：ベース
５：アッパー
６Ｆ：前足  ６Ｒ：後足
７：ミッドソール
ＤＦ：前方  ＤＢ：後方
ＦＢ：前後方向
Ｈ１，Ｈ３：突出高さ
Ｏ５：小趾球
Ｓ：スタッド  ＳＥ：下端
【図１】
2017029567.tif 000003
【図２】
2017029567.tif 000004
【図３】
2017029567.tif 000005
【図４】
2017029567.tif 000006
【図５】
2017029567.tif 000007
【図６】
2017029567.tif 000008
【図７】
2017029567.tif 000009
【図８】
2017029567.tif 000010
【図９】
2017029567.tif 000011
【図１０】
2017029567.tif 000012